(57)【特許請求の範囲】
【請求項１】
読み取った原稿を蓄積してファクシミリ送信する手段と、
送信モードとしてメモリ送信又はフィーダー送信を選択する手段と、
宛先を指定する手段と、
ファクシミリ送信開始を指示する手段と、
メモリ送信が選択されかつ送信開始指示時に宛先が指定されていない場合に原稿の全頁の読み取り及び蓄積を行いながら又は行った後に宛先の入力を受け付ける一方、フィーダー送信が選択されかつ送信開始指示時に宛先が指定されていない場合に原稿の第１頁の読み取り及び蓄積を行った後に宛先の入力を受け付ける制御手段と、
を備え、
前記ファクシミリ送信する手段が、メモリ送信が選択された場合に原稿の全頁を蓄積してメモリ送信する一方、フィーダー送信が選択された場合に原稿の第１頁を蓄積してメモリ送信すると共に原稿の第２頁以降をフィーダー送信することを特徴とするファクシミリ装置。
【発明の詳細な説明】
【０００１】
【発明の属する技術分野】
本発明は、ファクシミリ装置に係り、詳しくは、宛先のファクシミリ番号を入力しない状態で原稿読み取りの指示を行った場合でも、読み取りやその後の送信処理を継続できるようにしたファクシミリ装置に関するものである。
【０００２】
【従来の技術】
従来、ファクシミリ装置において、原稿の即時送信と原稿を予め読み取って蓄積しておき、指定された日時に送信する予約送信の双方を行えるようにしたものが知られている。即時送信を行う場合、原稿台に原稿をセットし、宛先のファクシミリ番号を入力した上でスタートキーを操作すると、原稿の読み取りに引き続いてファクシミリ送信が開始されるようになっている。
【０００３】
【発明が解決しようとする課題】
ところで、ファクシミリ送信を行う場合、送信宛先の氏名、名称やファクシミリ番号は、通常、カバーページの上部に記載されることが多いものである。その場合、原稿の画像面が下向きになるように原稿台に原稿をセットする方式のファクシミリ装置においてセット状態でカバーページのファクシミリ番号等が見えなくなるのは勿論、原稿の画像面が上向きになるようにセットするファクシミリ装置においても、原稿のセット状態では通常、ファクシミリ番号の記載されたカバーページ上部が読み取り部内に挿入されているため、ファクシミリ番号等が確認不可能な状態となる。
【０００４】
以上のように、従来は、一旦原稿をセットしてしまうと、カバーページを見ながらファクシミリ番号等を入力することができず、止むを得ず、別の紙にファクシミリ番号をメモしてから、ファクシミリ番号を入力する必要があったので、操作性が悪くなる問題があった。
【０００５】
【課題を解決するための手段】
本発明は、上記課題に鑑みてなされたものであって、宛先のファクシミリ番号を入力しない状態で原稿読み取りの指示を行った場合でも、読み取りやその後の送信処理を継続できるファクシミリ装置を提供することを技術課題とする。
そのため、本発明のファクシミリ装置は、読み取った原稿を蓄積してファクシミリ送信する手段と、送信モードとしてメモリ送信又はフィーダー送信を選択する手段と、宛先を指定する手段と、ファクシミリ送信開始を指示する手段と、メモリ送信が選択されかつ送信開始指示時に宛先が指定されていない場合に原稿の全頁の読み取り及び蓄積を行いながら又は行った後に宛先の入力を受け付ける一方、フィーダー送信が選択されかつ送信開始指示時に宛先が指定されていない場合に原稿の第１頁の読み取り及び蓄積を行った後に宛先の入力を受け付ける制御手段と、を備え、前記ファクシミリ送信する手段が、メモリ送信が選択された場合に原稿の全頁を蓄積してメモリ送信する一方、フィーダー送信が選択された場合に原稿の第１頁を蓄積してメモリ送信すると共に原稿の第２頁以降をフィーダー送信することを特徴とするものである。
【０００８】
【発明の実施の形態】
以下、本発明の第１の実施の形態を図面を参照しながら説明する。図１に概略構成を示すように、この実施の形態のファクシミリ装置Ｆは、ＣＰＵ（中央処理装置）１と、ＲＯＭ(Read Only Memory)２と、ＲＡＭ(Random Access Memory)３と、操作部４と、読取部５と、記録部６と、コーデック７と、モデム８と、ＮＣＵ(Network Control Unit)９とが互いに接続されてなる。
【０００９】
ＲＯＭ２には、ファクシミリ装置Ｆ全体を制御するためのプログラム等が予め記憶されている。一方、ＲＡＭ３には、ＣＰＵ１による制御に必要な各種データが一時記憶される。
【００１０】
更に、ＲＡＭ３内には、図示しない電源のオフ時にも記憶内容を保持できるテーブル３ａが設けられている。このテーブル３ａには、例えば、操作部４における複数のワンタッチダイヤルキー４ａ（図２参照）や複数の短縮ダイヤル番号に対応させて複数のファクシミリ番号が記憶されるようになっている。テーブル３ａは、例えば、バックアップ電源付きＲＡＭ等により構成できる。
【００１１】
操作部４は、図２にその主要部を示したように、キーパネルやタッチパネル等からなり、上記ワンタッチダイヤルキー４ａの他に１０種類の数字キーを含むテンキー４ｂやスタートキー４ｃ等を備えている。そして、上記テンキー４ｂにより、相手先の宛先のファクシミリ番号や時刻指定による予約送信の場合の送信開始予定時刻等が入力される。
【００１２】
ファクシミリ送信用の原稿等の読取を行う読取部５は、図示しないラインセンサー等からなる。また、相手先から受信内容等を記録する記録部６は、電子写真方式又はインクジェット方式等の印刷装置を備えている。
【００１３】
コーデック７は、送信すべき画像データを符号化し、かつ受信した画像データを復号する役割を有する。モデム８は、送受信データの変復調、具体的には送信データを音声帯域信号に変調してＮＣＵ９を介して公衆回線網Ｌに送出し、公衆回線網ＬからＮＣＵ９を介して受信した音声帯域信号をディジタル信号に復調する。
【００１４】
更に、ＮＣＵ９は、公衆回線網Ｌとこのファクシミリ装置Ｆとの接続を制御するとともに、相手先のファクシミリ番号に応じたダイヤルパルスを送出する機能及び着信を検出する機能を備えている。
【００１５】
なお、本ファクシミリ装置Ｆは、最初に１枚又は複数枚の原稿の全てを読み取ってＲＡＭ３内等に蓄積した後送信するメモリ送信と、１枚の原稿を読み取りながら送信するフィーダー送信の２種類の送信モードを有し、操作部４における不図示の送信モード選択キー等により選択されるようになっている。
【００１６】
上記ＲＯＭ２に記憶されたプログラム内には、スタートキー４ｃによる送信開始の指示時に宛先が指定されていなければ、原稿の読み取り及び蓄積を行いながら、宛先の入力を受け付けるための命令群が含まれている。
【００１７】
次に、図３を参照しながら、ファクシミリ送信時のＣＰＵ１による処理手順を簡単に説明する。不図示の原稿が原稿台にセットされると（Ｓ１）、続いて、スタートキー４ｃが押下されたか否かがＣＰＵ１で判定される（Ｓ２）。押下されていなければ、Ｓ１に復帰する。
【００１８】
Ｓ２でスタートキー４ｃが押下されていれば、続いて、宛先のファクシミリ番号が入力済みであるか否かが判定される（Ｓ３）。そして、入力済みであれば、原稿が読取部５で読み取られて、必要により蓄積された後、メモリ送信又はフィーダー送信により送信される（Ｓ４）。
【００１９】
一方、Ｓ３で宛先のファクシミリ番号が未入力である場合、つまり、スタートキー４ｃの押下操作で原稿の読み取り及びそれに続くファクシミリ送信が指示された段階（Ｓ２）で未だ宛先が入力されていない場合、続いて原稿の全頁が読み取られてＲＡＭ３等のメモリに蓄積される（Ｓ５）。
【００２０】
上記原稿の読み取りと並行して、或いは読み取り処理後に宛先のファクシミリ番号が入力されると（Ｓ６）、続いて、スタートキー４ｃが再度押下されたか否かが判定され（Ｓ７）、押下されていなければ、Ｓ６に戻る。一方、Ｓ７でスタートキー４ｃが再度押下されていれば、続いて、蓄積済みの原稿がファクシミリ送信される（Ｓ８）。
【００２１】
以上のように、最初のスタートキー４ｃの押下時に宛先が入力されていれば、そのまま通常のファクシミリ送信が行われる一方、最初のスタートキー４ｃの押下時に宛先が入力されていない場合は、原稿の全頁をメモリに蓄積しつつ宛先の入力を待ち、スタートキー４ｃが再度押下された時点で送信を開始するようにしている。
【００２２】
従って、例えば、原稿のカバーページに宛先のファクシミリ番号が記載されているような場合で、ファクシミリ番号の入力を怠って原稿を原稿台にセットしたような場合でも、再度原稿を取り出して他の紙にファクシミリ番号を書き写す必要なく、原稿の読み取り後にカバーページを見ながらファクシミリ番号の入力が行える。
【００２３】
次に、本発明の第２の実施の形態を説明する。この実施の形態のファクシミリ装置Ｆのハードウェア構成は第１の実施の形態と同一である。ここでは、ファクシミリ送信時の制御手順のみが第１の実施の形態と相違している。以下、図４のフローチャートを参照しながら、本実施の形態におけるＣＰＵ１の制御手順を説明する。
【００２４】
Ｓ１１乃至Ｓ１４における処理は、図３のＳ１乃至Ｓ４と同一であるから、重複した説明を省略する。Ｓ１３において、宛先のファクシミリ番号が入力されていない場合、つまり、スタートキー４ｃで送信開始が指示された時点（Ｓ１２）で宛先が未入力の場合、第１実施の形態と同様に原稿が読み取られてメモリに蓄積される（Ｓ１５）。但し、ここでは、原稿の第１頁、つまり、カバーページのみが、メモリに蓄積される。
【００２５】
上記第１頁の蓄積中にファクシミリ番号が入力されるか、又は第１頁の蓄積後に、例えば、第１頁を見ながらファクシミリ番号が入力された後（Ｓ１６）、スタートキー４ｃが再度押下されると（Ｓ１７）、ファクシミリ送信が開始される（Ｓ１８）。但し、この場合は、第１頁のみがメモリ送信され、第２頁以降は、原稿の各頁が読み取られる毎に送信される（フィーダー送信）。
【００２６】
なお、図４に示す制御手順では、第１頁のみメモリに蓄積するものとしたが、それに代えて、宛先が入力されて、再度スタートキー４ｃが押下されるまでの間、複数枚の原稿をメモリに蓄積してメモリ送信するようにし、宛先が入力されて、再度スタートキー４ｃが押下された後に読み取られる原稿についてはフィーダー送信するようにしてもよい（請求項３に対応）。
【００２７】
上記図３又は図４のいずれの制御手順で制御するかについては、操作部４に設けた図示しない制御手順選択キー等により選択することができる。但し、送信モードとして、予めメモリ送信を選択した場合は、自動的に図３の制御手順が選択され、送信モードとして、フィーダー送信を選択した場合は図４の制御手順が選択されるようにしてもよい。
【００２８】
なぜなら、元々、メモリ送信を選択していた場合は、図３のＳ５及びＳ８のように原稿の全頁を予めメモリに蓄積してメモリ送信するのが適切であり、一方、元々フィーダー送信を選択していた場合は、図４のＳ１５及びＳ１８のように原稿の第１頁のみメモリ送信し、以降の頁はフィーダー送信するのが適切であるとも考えられるからである。そして、このように、送信モードと制御手順を連動させることで、操作部４におけるキーの個数を減少させ、かつ、操作性も向上させることができる。
【００２９】
【発明の効果】
以上説明したように、本発明のファクシミリ装置は、読み取った原稿を蓄積してファクシミリ送信する手段と、送信モードとしてメモリ送信又はフィーダー送信を選択する手段と、宛先を指定する手段と、ファクシミリ送信開始を指示する手段と、メモリ送信が選択されかつ送信開始指示時に宛先が指定されていない場合に原稿の全頁の読み取り及び蓄積を行いながら又は行った後に宛先の入力を受け付ける一方、フィーダー送信が選択されかつ送信開始指示時に宛先が指定されていない場合に原稿の第１頁の読み取り及び蓄積を行いながら又は行った後に宛先の入力を受け付ける制御手段とを備えたものであるから、メモリ送信が選択されかつ宛先の入力されていない状態で送信開始を指示した場合においては、この送信開始の指示に基づいて原稿の全頁の読み取りや蓄積を行いながら又は行った後に宛先が入力されると、ファクシミリ送信が実行される。一方、フィーダー送信が選択されかつ宛先の入力されていない状態で送信開始を指示した場合において、この送信開始の指示に基づいて原稿の第１頁の読み取りや蓄積を行った後に宛先が入力されると、ファクシミリ送信が実行される。そのため、ファクシミリ送信に際して、宛先入力の時期が多少遅れたような場合でも、読み取り、蓄積及び送信の一連の処理は、全体として、さほど遅れずに実行される。
【００３１】
従って、例えば、原稿のカバーページ（第１頁）に宛先等が記載されていて、原稿をセットした状態で宛先等を見ることができない場合でも、このカバーページの読み取り及び蓄積が終了した後にカバーページを見ながら宛先を入力し、引き続き、送信処理を行うことができる。そのため、宛先を入力するのを忘れて原稿を原稿台にセットしたような場合でも、全体として、読み取りや送信の処理に大きな遅れを生ずることはない。また、メモリ送信が選択された場合に原稿の全頁を蓄積してメモリ送信する一方、フィーダー送信が選択された場合に原稿の第１頁を蓄積してメモリ送信すると共に原稿の第２頁以降をフィーダー送信するようにして、送信モードと制御手順とを連動させているので、操作部におけるキーの個数を減少させ、かつ、操作性も向上させることができる。
【図面の簡単な説明】
【図１】本発明の実施の形態に係るファクシミリ装置の内部構成を示す説明図である。
【図２】上記ファクシミリ装置における操作部の一部を示す説明図である。
【図３】上記ファクシミリ装置における送信時の制御手順を示すフローチャートである。
【図４】上記ファクシミリ装置における送信時の他の制御手順を示すフローチャートである。
【符号の説明】
１  ＣＰＵ
４ｂ  テンキー
４ｃ  スタートキー
８  モデム
９  ＮＣＵ
【図１】
0003867467.tif 000002
【図２】
0003867467.tif 000003
【図３】
0003867467.tif 000004
【図４】
0003867467.tif 000005